(57)【要約】  本発明は、内容物が収納されたケース本体から、蓋がスライドしながら開閉されるコンパクト容器に関する。詳しくは、蓋がケース本体からスライドして開放が完了する地点で、蓋の先端が持ち上げられてケース本体に対して傾斜を成す。本発明に係るコンパクトケースによれば、蓋に設置された鏡が顔を映しながら化粧するための適当な角度になり、化粧をする時、便利に化粧ができる。さらに主な顧客層が女性であることを顧慮し、蓋を開閉する時にソフトな使用感を持たせられる。  本発明は、化粧料が収納される内容物皿を含むケース本体と、前記ケース本体に対してスライドしながら開閉される蓋とからなるコンパクトケースにおいて、内容物皿(13)がヒンジにより設置されたケース本体(10)の上面で水平移動しながら開放され、開放が完了する地点で蓋(20)の先端が反発部材(50)の反発力によって持ち上げられてケース本体(10)に対して前記蓋(20)が傾斜を成すコンパクトケースによって達成できる。【選択図】図２
2011500200.tif 000002
【特許請求の範囲】
【請求項１】
化粧料が収納される内容物皿を含むケース本体と、前記ケース本体に対してスライドして開閉される蓋とからなるコンパクトケースにおいて、
内容物皿(13)がヒンジにより取り付けられたケース本体(10)の上面で蓋(20)が水平に移動しながら開放され、開放が完了する地点で蓋(20)の先端が反発部材(50)の反発力によって持ち上げられてケース本体(10)に対して前記蓋(20)が傾斜を成すことを特徴とするコンパクトケース。
【請求項２】
前記コンパクトケースは、
上面一側にお互いに向い合うレール穴(31)を有するレール部材(30)がヒンジにより取り付けられ、前記レール部材(30)は反発部材(50)の反発力を受けるように設置されたプッシュ部材(40)によって回転自在になるように設置されているケース本体(10)と;
前記ケース本体(10)のレール部材(30)に形成されたレール穴(31)で案内される突出したレール(61)が両側に形成されているレールプレート(60)が底面中央に設置されており、上面に化粧部位を映しながら化粧できるように鏡(21)が設置されている蓋(20)と
で構成されることを特徴とする請求項１に記載のコンパクトケース。
【請求項３】
前記蓋(20)は、ケース本体(10)からの開放が完了して後段が活動空間(70)に位置して自由な状態になると、反発部材(50)の反発力によって進むプッシュ部材(40)によって上方へ回転するレール部材(30)によって、傾斜を成すことを特徴とする請求項１又は２に記載のコンパクトケース。
【請求項４】
前記反発部材(50)はコイルスプリングまたは板スプリングの何れかであることを特徴とする請求項１又は２に記載のコンパクトケース。
【請求項５】
前記反発部材(50)は、磁石であり、同一極を向かい合わせて設置されることを特徴とする請求項１又は２に記載のコンパクトケース。
【発明の詳細な説明】
【技術分野】
【０００１】
本発明は、内容物が収納されたケース本体から、蓋がスライドしながら開閉されるコンパクト容器に関する。詳しくは、蓋がケース本体からスライドしながら開放が完了する地点で、蓋の先端が持ち上げられてケース本体に対して傾斜を成すことにより、蓋に設置された鏡が顔を映しながら化粧するための適当な角度になり、化粧をする時、便利に化粧ができるとともに、主な顧客層が女性であることを顧慮し、蓋を開閉する時にソフトな使用感を持たせる。
【背景技術】
【０００２】
一般的に、コンパクト、アイシャドーなどの化粧品ケースは、内容物皿やパフケースが内蔵されているケース本体と、内側に鏡が附着しておりケース本体に対してヒンジで固定される蓋とを含む。
【０００３】
このようなコンパクトケースは、化粧品が開発されてから今まで同一の構造の容器だけが製作されて来た。消費者の多様な購買趣向を満足させるため、そして多様な個性を持つ消費者の欲求を満足させるため、多様な形態及びデザインの製品が発売されて来たが、ケース本体と蓋がヒンジにより取り付けられる構造ではその構造の変更に限界がある。
【０００４】
従って、ケース本体と蓋がヒンジにより取り付けられるコンパクト容器は、構造的な改善よりも、ケースの形態や色相などの制限的な変更を通じて、消費者の欲求を満足させて来た。
【０００５】
しかし、ケースの単純な形態変更だけでは、消費者の欲求を満たすためには限界があり、製品寿命が長くないという短所がある。
【０００６】
又、製品寿命が短いと、製品開発のための開発費と研究への人的資源の使用が多くなり、結局、コンパクトケースの消費者価格が上昇する要因となる。
【０００７】
ここで、本願の出願人は、特許文献１〜４に示されているように、内容物ケースと外部ケースのスライド構造と、ヒンジ構造と、折り畳み角の固定構造とが複合的に調和されたコンパクト容器を発明した。また、特許文献５，６に示されているように、ケース本体から蓋がスライドしながら開閉されるコンパクト容器を発明した。
【０００８】
前記のコンパクト容器のうち、特許文献１〜４のコンパクトケースは、化粧料が収容され両側面にガイド溝が形成された化粧料保管ボックスと、外側には鏡が取り付けられており内側の両側壁面にはガイド溝と所定形状のガイド突起が設けられており化粧材料保管ボックスがスライド方式で出入りするように一側面が開放されたケースとで構成される。
【０００９】
前記の先登録のコンパクトケースは、別途の鏡を携帯する必要なくいつでも自分の顔を映し、化粧時にはケースを化粧料保管ボックスに対してスライド方式で引き出すことにより、ケースを化粧料保管ボックスに対して所定の角度に立てることができるので、使用者はケースの外部に取り付けられた鏡を見ながら化粧できる効果がある。
【００１０】
しかし、前記のコンパクトケースは、構造が複雑なため生産原価が上がるという欠点があり、これを補う必要性があるだけでなく、内容物ケースを外部ケースから引き出す時、両手を使わなければならないという欠点がある。
【００１１】
一方、本願の出願人は、実用新案登録第20-0404621号、第20-0405091号のケースについて登録を受けた。前記先登録考案はケース本体の両側面に形成されたガイドレールに沿って蓋がスライド移動しながら開く構造であり、構造が単純なので生産原価を下げられるが、蓋がケース本体に対して水平を維持した状態で開閉されるので、蓋に取り付けられた鏡に化粧部位を映しながら化粧をする時、ケース本体を傾けなければならなくなり、ケース本体に収納された化粧料の粉が外部に落ちて使用者の服に落ちるという欠点がある。
【００１２】
そこで、本願の出願人は前述の二つのタイプのコンパクトケースの長所のみを含むコンパクトケースを発明した。
【先行技術文献】
【特許文献】
【００１３】
【特許文献１】韓国実用新案登録第２０−０３９３２３３号
【特許文献２】韓国実用新案登録第２０−０３９３２３４号
【特許文献３】韓国実用新案登録第２０−０３９３２３５号
【特許文献４】韓国実用新案登録第２０−０３９３３８０号
【特許文献５】韓国実用新案登録出願第２００５−２９２４９号
【特許文献６】韓国実用新案登録出願第２００５−３０３３２号
【発明の概要】
【発明が解決しようとする課題】
【００１４】
本発明の目的は、先登録のコンパクトケースの欠点を補うことにあり、ケース本体に対してスライドして開閉される蓋がケース本体に対して水平にスライドして開閉されながら、開放が完了する位置に達すると、反発部材によって回転自在に設けられたレール部材の回転により先端が持ち上げられてケース本体に対して蓋が傾斜を成すことにより、化粧をする時、蓋に取り付けられた鏡に化粧部位を楽に映しながら化粧ができ、鏡が上側を向いて傾斜を成すようにされたコンパクト容器の構造単純化の組立生産による作業性の向上とともに、生産原価を著しく下げることができ、蓋の操作の時、柔らかく且つ高級で、安定的な使用感を感じることができるコンパクトケースを提供する。
【課題を解決するための手段】
【００１５】
前記の目的を果たすための本発明は、化粧料が収納される内容物皿を含むケース本体と、前記ケース本体に対してスライドしながら開閉される蓋とからなるコンパクトケースにおいて、内容物皿(13)がヒンジにより取り付けられたケース本体(10)の上面で水平に移動しながら開放されて、開放が完了する地点で蓋(20)の先端が反発部材(50)の反発力によって持ち上げられてケース本体(10)に対して傾斜角を成すことを特徴とするコンパクトケースによって達成されることができる。
【発明の効果】
【００１６】
上記の説明のように、本発明に係るコンパクトケースでは、スライドしてケース本体(10)を開閉する蓋(20)が、ケース本体(10)に対して水平にスライドして開動作が完了する地点に達すると、レール部材(30)の回転で蓋(20)の先端が持ち上げられてケース本体(10)に対して前記蓋(20)が傾斜を成す。
【００１７】
本発明に係るコンパクトケースでは、化粧をする時、蓋(20)に取り付けられた鏡(21)に化粧部位を楽に映しながら化粧ができ、コンパクト容器の構造の単純化によって組立生産の作業性を向上することができ、生産原価を著しく下げることができ、ソフトな開閉操作によって柔らかく高級で、且つ、安定的な使用感を得ることができるという利点がある。
【図面の簡単な説明】
【００１８】
【図１】本発明によるコンパクトケースの斜視図。
【図２】本発明によるコンパクトケースの分離斜視図。
【図３】本発明によるコンパクトケースの分離斜視図で、蓋の底面が見える斜視図。
【図４】本発明によるコンパクトケースの斜視図で、蓋が傾斜を成した状態の例示図。
【図５】本発明によるコンパクトケースのケース本体のレール部材と蓋のレールプレートが結合した状態を示した断面例示図。
【図６】本発明によるコンパクトケースの縦断面図。
【図７】本発明によるコンパクトケースの蓋をケース本体から開放した状態を示した例示図。
【図８】本発明によるコンパクトケースの例示図であって、レール部材によって、蓋が持ち上げられた状態を示した例示図。
【図９】本発明による他の実施形態の例示図。
【図１０】本発明によるコンパクトケースの内容物を利用して化粧する過程を示した例示図。
【発明を実施するための形態】
【００１９】
以下、上記の目的を果たすための望ましい実施形態を、添付された図により詳細に説明する。
【００２０】
図１乃至図１０に示したように、本発明によるコンパクトケースは、ケース本体(10)と蓋(20)とからなる。
【００２１】
前記ケース本体(10)は、上面両側に柔らかい曲面を内部に含む高台(12)が形成されて、パフ(100)が保管され、長さ方向一側の上面にヒンジにより取り付けられる内容物皿(13)が挿入される凹部(11)が形成されている。
【００２２】
前記容物皿(13)がヒンジにより取り付けられた部分と隣合う上面に、レール部材(30)がヒンジを中心として回転自在に設置され、内容物皿(13)がヒンジにより取り付けられる部分とレール部材(30)がヒンジにより設置される部位との間に蓋(20)の後段が自由に置かれる活動空間(70)を備える。
【００２３】
前記レール部材(30)には蓋(20)の底面中央に設置されたレールプレート(60)のレール(61)が挟まれて案内されるレール穴(31)がお互いに向い合う方向に形成されている。
【００２４】
前記レール部材(30)は、反発部材(50)の反発力を受け、ケース本体(10)に設置されたプッシュ部材(40)によって上方へ持ち上げられる。
【００２５】
前記レール部材(30)を回転させる反発部材(50)には多様な形態がある。
【００２６】
前記プッシュ部材(40)の下端に装着される反発部材(50)の例として、ケース本体(10)に設置されるとともに上方への反発力が加えられるようにする、プッシュ部材(40)の下部に設置されるスプリングがある。また、レール部材(30)の底面に対してスライド活動が円滑にできるようにする曲率を成す傾斜面がプッシュ部材(40)上部に形成されている。 
【００２７】
前記スプリングはコイルスプリングまたは板スプリングの何れかである。
【００２８】
前記反発部材(50)の他の実施形態として、磁石の同一極をお互いに向い合うようにしてレール部材(30)が上方へ回転するようにしてもよい。ここで前記反発部材(50)として、レール部材(30)の底面と、前記レール部材(30)の底面に一致するケース本体(10)の上面とにそれぞれの磁石を、同一極がお互いに向い合うように設置する。
【００２９】
前記ケース本体(10)の上面でスライドする蓋(20)の両側面はケース本体(10)の高台(12)内面に対応する曲面で形成されており、底面中央にはレールプレート(60)が設置されている。
【００３０】
前記レールプレート(60)には レール部材(30)のレール穴(31)によって案内されるレール(61)が突出した縁により形成されている。
【００３１】
前記蓋(20)の上面には、化粧をする時に化粧部位を映しながら化粧するように鏡(21)が設置されている。
【００３２】
前述の構成からなる本発明に係るコンパクトケースの場合、内容物皿(13)に収納された化粧料を利用して化粧する時は、ケース本体(10)を片手で支えて持った状態で、親指を蓋(20)の後段上面に密着させて親指を動かして蓋(20)を押す。
【００３３】
上記のように、親指の動きで移動する蓋(20)は底面に設置されたレールプレート(60)の出っ張ったレール(61)がケース本体(10)の一側上面に設置されるレール部材(30)のレール穴(31)に沿ってスライドして、図６のように閉まっていた蓋(20)が図７のように移動して開放される。
【００３４】
上記のように、開放される蓋(20)はケース本体(10)に対して水平を維持した状態で移動する。
【００３５】
前記蓋(20)が水平移動できるのは、ケース本体(10)の上面両側に形成された高台(12)に蓋(20)の両側面が接触した状態で移動するからである。
【００３６】
蓋(20)が移動して前記ケース本体(10)から完全に開放されると、図８のように蓋(20)の先端が上方に向けて持ち上げられ傾斜を成す。
【００３７】
前記蓋(20)の先端が持ち上げられて傾斜を成す原理は、ケース本体(10)の一側上面に設置されたレール部材(30)の回転による。
【００３８】
すなわち、蓋(20)が移動して完全に開かれた状態の位置に至ると、蓋(20)の後段がケース本体(10)の活動空間(70)に位置して自由な状態になり、レール部材(30)の下部に位置して反発力を加えるように設置された反発部材(50)の反発力によってプッシュ部材(40)が蓋(20)の下面を押し上げて前記レール部材(30)がヒンジを中心に回転して、蓋(20)が傾斜を成す。
【００３９】
以下、それぞれの実施形態について、前記蓋(20)が傾斜を成す過程を説明する。
【００４０】
反発部材(50)としてスプリングを採用した場合には、蓋(20)の後段がケース本体(10)の活動空間(70)に位置して自由な状態になると、コイルスプリングまたは板スプリングによって反発力を受けるプッシュ部材(40)が移動して前記レール部材(30)を回転させ、蓋(20)が傾斜を成す(図８参照)。さらに、前記レール部材(30)を押し上げて回転させるプッシュ部材(40)の上面は曲面を成す傾斜面となるように形成されて、レール部材(30)に対してスライド活動が円滑になり、滑らかな回転が可能になる。
【００４１】
反発部材(50)として磁石を採用した他の実施形態の場合にも、前記蓋(20)の後段がケース本体(10)の活動空間(70)に位置して自由な状態になると、同一極が向かい合うようにレール部材(30)とケース本体(10)の上面とに設置された磁石の斥力によって前記のレール部材(30)が回転することにより、蓋(20)が傾斜を成す。(図９参照)
ケース本体(10)から蓋(20)を開放した状態で、図１０のように内容物皿(13)を持ち上げて凹部(11)に保管されたパフ(100)を取り出す。
【００４２】
取り出したパフ(100)に内容物皿(13)に収納された化粧料をつけて化粧をする。
【００４３】
この時、蓋(20)の上面に取り付けられた鏡(21)を通じて化粧する部位を映しながら化粧をすることができる。
【００４４】
化粧が終わった後には、前述した内容物皿(13)を持ち上げて凹部(11)にパフ(100)を収納した後、内容物皿(13)を凹部(11)に位置させた状態で蓋(20)を閉めて保管する。
【００４５】
蓋(20)を閉める時には、先ず蓋(20)の先端を軽く押して後段が活動空間(70)から脱するようにすると同時に、ケース本体(10)に対して水平を成す状態で開放させる時の反対方向にスライド移動させることにより、内容物皿(13)に収納された内容物を安全に保管できる。
【符号の説明】
【００４６】
１０:ケース本体              １１:凹部
１２:高台                    １３:内容物皿
２０:蓋                      ２１:鏡
３０:レール部材              ３1 :レール穴
４０:プッシュ部材            ５０:反発部材
６０:レールプレート          ６１:レール
７０:活動空間                １００:パフ
【図１】
2011500200.tif 000003
【図２】
2011500200.tif 000004
【図３】
2011500200.tif 000005
【図４】
2011500200.tif 000006
【図５】
2011500200.tif 000007
【図６】
2011500200.tif 000008
【図７】
2011500200.tif 000009
【図８】
2011500200.tif 000010
【図９】
2011500200.tif 000011
【図１０】
2011500200.tif 000012
【国際調査報告】
2011500200.tif 000013
2011500200.tif 000014